(57)【要約】【課題】  信号伝送の利得を早急に向上しうる放送波分配器用トランスを提供する。  【解決手段】  放送信号を伝送する信号線L（Ｌ1、Ｌ3）を挿通させる信号線挿通穴１ａが１つ設けられた略円筒状のフェライトコアである一つの分配トランス１と、２つの円筒穴２ａ、２ｂを平行に形成されたフェライトコアである二つのインピーダンス変成トランス２、２とが、信号線挿通穴１ａに挿通された信号線L（Ｌ1、Ｌ3）が２つの円筒穴２ａ、２ｂそれぞれに巻回されることによって、信号線L（Ｌ1、Ｌ2、Ｌ3、Ｌ4）を介して一体化部品としてなる放送波分配器用トランスにおいて、信号線（Ｌ1とＬ2のペア、またはＬ3とＬ4のペア）は、インピーダンス変成トランス２の２つの円筒穴２ａ、２ｂの一方２ａと他方２ｂとを結ぶ最後の巻回部分が、インピーダンス変成トランス２の２つの円筒穴２ａ、２ｂが覗く平面視上で直線状になるよう、堅縛して縒り捩じられてなる。【選択図】図１
2006033619.tif 000002
【特許請求の範囲】
【請求項１】
放送信号を伝送する信号線を挿通させる信号線挿通穴が１つ設けられた略円筒状のフェライトコアである分配トランス１つと、２つの円筒穴を平行に形成されたフェライトコアであるインピーダンス変成トランス２つとが、信号線挿通穴に挿通された信号線が２つの円筒穴それぞれに巻回されることによって、信号線を介して一体化部品としてなる放送波分配器用トランスにおいて、信号線は、インピーダンス変成トランスの２つの円筒穴の一方と他方とを結ぶ最後の巻回部分が、インピーダンス変成トランスの２つの円筒穴が覗く平面視上で直線状になるよう、堅縛して縒り捩じられてなることを特徴とする、放送波分配器用トランス。
【発明の詳細な説明】
【技術分野】
【０００１】
本発明は、放送波分配器用トランスに関するものである。
【背景技術】
【０００２】
従来の放送波分配器用トランス装置を、図３と図４を用いて説明する。図３は従来の放送波分配器用トランスの説明図であり、(a)は平面図、(b)は側面図、(c)は下面図である。図４は同上の放送波分配器用トランスをプリント基板等の回路基板に搭載した状態をあらわす斜視図である。
【０００３】
一般に、テレビ放送波を受信して得られる受信信号を分配する分配器には、低周波から高周波まで広帯域に伝送できることが要求される。このため、分配器に搭載するトランス装置には、一般的にフェライト捲線タイプのトランスを用いる。
【０００４】
このような放送波分配器用トランスを図３に示す。放送信号を伝送する信号線Lを挿通させる信号線挿通穴１ａが１つ設けられた略円筒状（いわゆるビーズ形）のフェライトコアである分配トランス１が１つと、２つの円筒穴２ａ、２ｂを平行に形成されたフェライトコア（いわゆるバルーン形）であるインピーダンス変成トランス２が２つ用いられる。このような放送波分配器用トランスは、信号線挿通穴１ａに挿通された信号線Lが２つの円筒穴２ａ、２ｂそれぞれに巻回されることによって、信号線Lを介して一体化部品としてなる。
【０００５】
信号線Lは、Ｌ1、Ｌ2、Ｌ3、Ｌ4の４本からなり、分配トランス１は一端から他端へ信号線Ｌ1が挿通される。信号線Ｌ1は分配トランス１の他端側のインピーダンス変成トランス２の内部を捲回して、同トランス２へ挿通された別の信号線Ｌ2と捩れられている。また、分配トランス１は他端から一端へ信号線Ｌ3が挿通される。信号線Ｌ3は分配トランス１の一端側のインピーダンス変成トランス２の内部を捲回して、同トランス２へ挿通された別の信号線Ｌ4と捩れられている。さらに、信号線Ｌ1とＬ3とは縒られて一本の束にされている。
【０００６】
このような放送波分配器用トランスは、図４のようにプリント基板に実装されて使用されるのであるが、信号線Ｌ1、Ｌ3が３つのトランス間でそれぞれ途切れなく形成されてあるので、例えば、図４に示す実装対象であるプリント基板P上のランドやパターン経由で半田付けされた結果として信号線Ｌ1とＬ3と一本化される形態に比べて、半田付けなどの接続作業が必要ないので組み立て工数が少なく、一方で、例えば、各トランスごとに各信号線を巻回したあと信号線どうしを半田付けして信号線Ｌ1を一本化したり信号線Ｌ3を一本化したりするような形態に比べて、信号線Ｌ1、Ｌ3に半田付けなどの接続作業が必要ないので組み立て工数が少なくて済むという利点を有する。
【特許文献１】特開２００１−３４５２１６公報
【発明の開示】
【発明が解決しようとする課題】
【０００７】
最近では、高周波帯域での信号利得のさらなる向上が早急に実現されるよう市場から望まれているが、性能を向上させるためには、各トランスとして使用するフェライトコアのサイズや材質、信号線の線径をパラメータとした設計および実験を繰り返す必要がある。そればかりか、プリント基板上で好ましくはグランドパターンエリア上に位置させたく実装位置の検討をするなど、改善要因が様々であり、しかもこれらパラメータ群が相関性をもっている場合もあるので、設計に時間がかかり、早急には信号伝送の利得向上を実現し難かった。
【０００８】
本発明は、そのような問題点を解決しようとしたものであり、その目的とするところは、信号伝送の利得を早急に向上しうる放送波分配器用トランスを提供することにある。
【課題を解決するための手段】
【０００９】
上記問題点を解決するため、請求項１記載の放送波分配器用トランスにあっては、放送信号を伝送する信号線を挿通させる信号線挿通穴が１つ設けられた略円筒状のフェライトコアである分配トランス１つと、２つの円筒穴を平行に形成されたフェライトコアであるインピーダンス変成トランス２つとが、信号線挿通穴に挿通された信号線が２つの円筒穴それぞれに巻回されることによって、信号線を介して一体化部品としてなる放送波分配器用トランスにおいて、信号線は、インピーダンス変成トランスの２つの円筒穴の一方と他方とを結ぶ最後の巻回部分が、インピーダンス変成トランスの２つの円筒穴が覗く平面視上で直線状になるよう、堅縛して縒り捩じられてなることを特徴とする。
【発明の効果】
【００１０】
信号線は、インピーダンス変成トランスの２つの円筒穴の一方と他方とを結ぶ最後の巻回部分が、インピーダンス変成トランスの２つの円筒穴が覗く平面視上で直線状になるよう、堅縛して縒り捩じられてなる。このような放送波分配器用トランスを用い、複雑な設計変更を要せずとも、信号線の縒り捩じり方を工夫するだけで、高周波になるにつれ信号伝送の利得を大きく向上できた。
【発明を実施するための最良の形態】
【００１１】
本発明に係る放送波分配器用トランスの一実施の形態を、図１と図２を用いて、以下に説明する。図１は本発明の放送波分配器用トランスの説明図であり、従来技術で説明した図３ (c)に相当する下面図である。図２は本発明の放送波分配器用トランスを用いて信号伝送の利得特性が改善されたことを示す特性図である。
【００１２】
放送波分配器用トランスは、放送信号を伝送する信号線Lを挿通させる信号線挿通穴１ａが１つ設けられた略円筒状（いわゆるビーズ形）のフェライトコアである分配トランス１が１つと、２つの円筒穴２ａ、２ｂを平行に形成されたフェライトコア（いわゆるバルーン形）であるインピーダンス変成トランス２が２つ用いられる。このような放送波分配器用トランスは、信号線挿通穴１ａに挿通された信号線Lが２つの円筒穴２ａ、２ｂそれぞれに巻回されることによって、信号線Lを介して一体化部品としてなる。
【００１３】
信号線Lは、Ｌ1、Ｌ2、Ｌ3、Ｌ4の４本からなり、分配トランス１は一端から他端へ信号線Ｌ1が挿通される。信号線Ｌ1は分配トランス１の他端側のインピーダンス変成トランス２の内部を捲回して、同トランス２へ挿通された別の信号線Ｌ2と捩れられている。また、分配トランス１は他端から一端へ信号線Ｌ3が挿通される。信号線Ｌ3は分配トランス１の一端側のインピーダンス変成トランス２の内部を捲回して、同トランス２へ挿通された別の信号線Ｌ4と捩れられている。
【００１４】
ここで、（従来技術での記載説明と同様ではあるが）図１に示すように、信号線Lは、Ｌ1、Ｌ2、Ｌ3、Ｌ4の４本のうち、信号線Ｌ1とＬ2とが１つのインピーダンス変成トランス２での縒り合せのペアとなっており、信号線Ｌ3とＬ4とが他のインピーダンス変成トランス２での縒り合せのペアとなっている。
【００１５】
信号線Ｌ1とＬ2との縒り合せのペアは、インピーダンス変成トランス２の２つの円筒穴２ａ、２ｂの一方２ａと他方２ｂとを結ぶ最後の巻回部分Ｌ＿ｌａｓｔが、インピーダンス変成トランスの２つの円筒穴２ａ、２ｂが覗く平面視上で、曲折せずに直線状に見えるよう、堅縛して縒り捩じられてある。信号Ｌ3とＬ4との縒り合せのペアについても同様に、曲折せずに直線状に見えるよう、堅縛して縒り捩じられてある。この、平面視で直線状に見える部分が、図１では１つのインピーダンス変成トランス２での向きともう一つのインピーダンス変成トランス２での向きとが同じ（平行）になっている場合を示したが、相対的に違う方向に見えるように縒り捩じってもかまわない。
【００１６】
このように形成した放送波分配器用トランスによれば、図２に示すような実測特性が得られている。図２では、縦軸が信号伝送の利得〔単位：ｄB（デシベル）〕をあらわし、横軸が放送波の伝送周波数帯域〔単位：MHZ（メガヘルツ）〕をあらわし、従来の放送波分配器用トランスの有する特性Aに比べ、本発明の放送波分配器用トランスの有する特性Bのほうが、低周波帯域から３０００MHZ（メガヘルツ）の高周波放送帯域になるにつれて利得が向上されており、利得向上の効果が一目瞭然である。
【図面の簡単な説明】
【００１７】
【図１】本願発明に係る放送波分配器用トランスの説明図である。
【図２】本願発明に係る放送波分配器用トランスを用いて信号伝送の利得特性が改善されたことを示す特性図である。
【図３】従来の放送波分配器用トランスの説明図であり、(a)は平面図、(b)は側面図、(c)は下面図である。
【図４】同上の放送波分配器用トランスをプリント基板等の回路基板に搭載した状態をあらわす斜視図である。
【符号の説明】
【００１８】
１          分配トランス
１ａ        信号線挿通穴
２、２      インピーダンス変成トランス
２ａ、２ｂ  円筒穴
L（Ｌ1、Ｌ2、Ｌ3、Ｌ4）    信号線
Ｌ＿ｌａｓｔ     最後の巻回部分
【図１】
2006033619.tif 000003
【図２】
2006033619.tif 000004
【図３】
2006033619.tif 000005
【図４】
2006033619.tif 000006